(57)【要約】【課題】送風性能の効率化が可能な左右羽根を備えた空気調和機を提供すること。【解決手段】室内機１において、吹出しグリル５の下面５ｂには、複数の左右羽根７が配置される。左右羽根７はそれぞれ、上面視が円形形状の台座７ｂの上面５ａ側に、軸を介して接続される。また、下面５ｂの予め定められた位置には、台座７ｂを設置するために窪み５ｃが形成されている。各窪み５ｃの深さは、台座７ｂの厚さ以上になっている。これにより、台座７ｂの上面は、下面５ｂとほぼ同一面に含まれるようになる。【選択図】図２
2011117642.tif 000002
【特許請求の範囲】
【請求項１】
空気調和機であって、
所定形状を有する台座に取り付けられた左右羽根と、
所定の深さを有する窪みが形成されており、前記窪みに前記台座が回動可能に取り付けられる吹出しグリルとを備え、
前記所定の深さは、前記台座の厚さ以上の値であることを特徴とする、空気調和機。
【請求項２】
前記台座及び前記窪みは、上面視で円形形状を有し、前記窪みの径は、前記台座の径に所定のクリアランスを加算した値であることを特徴とする、請求項１に記載の空気調和機。
【発明の詳細な説明】
【技術分野】
【０００１】
本発明は、吹出しグリルに複数の左右羽根を備える空気調和機に関する。
【背景技術】
【０００２】
従来の空気調和機においては、吹出しグリルの端側に、左右方向に回動可能な端側左右羽根が端側台座を介して取り付けられる。この端側左右羽根自体と端側台座自体が回動する。また、吹出しグリルの中央側にも、左右方向に回動可能な中央側左右羽根が中央側台座を介して取り付けられる。この中央側左右羽根自体及び中央側台座自体も回動する。端側左右羽根及び中央側左右羽根により、吹出しグリルから吹出される空気の方向が調整される（例えば、特許文献１参照）。
【先行技術文献】
【特許文献】
【０００３】
【特許文献１】特開２００１−２０１１６６号公報
【発明の概要】
【発明が解決しようとする課題】
【０００４】
しかしながら、従来の空気調和機においては、端側台座及び中央側台座が空気の流路に突出しているため、通風の抵抗になり送風性能が低下するという問題点があった。
【０００５】
それ故に、本発明は、送風性能の効率化が可能な左右羽根を備えた空気調和機を提供することを目的とする。
【課題を解決するための手段】
【０００６】
上記目的を達成するために、本発明は、空気調和機であって、所定形状を有する台座に取り付けられた左右羽根と、所定の深さを有する窪みが形成されており、前記窪みに前記台座が回動可能に取り付けられる吹出しグリルとを備え、前記所定の深さは、前記台座の厚さ以上の値である。
【発明の効果】
【０００７】
本発明によれば、窪みの深さは台座の厚み以上であるため、台座の上面は吹出しグリル表面に対し実質的に突出しない。言い換えると、台座は通風の抵抗にならない。これによって、空気調和機の送風性能を効率的にすることが可能となる。
【図面の簡単な説明】
【０００８】
【図１】本発明の実施の形態に係る空気調和機の室内機を示す正面図
【図２】図１の線Ａ−Ａに沿う室内機の断面図
【図３】図２に示す左右羽根周辺の拡大図
【図４】図２に示す矢印Ｂの方向から左右羽根周辺を見た時の図
【発明を実施するための形態】
【０００９】
本発明は、空気調和機であって、所定形状を有する台座に取り付けられた左右羽根と、所定の深さを有する窪みが形成されており、前記窪みに前記台座が回動可能に取り付けられる吹出しグリルとを備える。前記所定の深さは、前記台座の厚さ以上の値であるため、台座は通風の抵抗にならないので、空気調和機の送風性能を向上させることが可能となる。
【００１０】
また、好ましくは、前記台座及び前記窪みは、上面視で円形形状を有する。前記窪みの径は、前記台座の径に所定のクリアランスを加算した値である。これにより、通風の抵抗となるものをさらに少なくできるので、空気調和機の送風性能をさらに向上させることが可能となる。
【００１１】
以下、本発明の実施の形態について、図面を参照しながら説明する。
【００１２】
一般家庭で使用される空気調和機は、通常冷媒配管で互いに接続された室外機と室内機とで構成されており、図１は、本発明に係る空気調和機の室内機１を示す正面図である。
【００１３】
室内機１は、前面吸入口を開閉自在の可動前面パネル（以下、単に前面パネルという）２を有しており、空気調和機の停止時は、前面パネル２は前面吸入口を閉じているのに対し、空気調和機の運転時は、前面パネル２は前面吸入口を開放する。なお、図１は前面パネル２が前面吸入口を閉じたときの状態を示す。
【００１４】
図２は、図１に示す線Ａ−Ａの断面を矢印の方向から見た時の室内機１の断面図である。図２に示すように、室内機１の内部には、熱交換器３と、熱交換器３の下流側に設けられ前面吸入口及び上面吸入口から取り入れられた室内の空気を熱交換器３で熱交換して室内に吹き出すためのクロスフローファン４と、熱交換した空気の流路を構成する吹出しグリル５と、室内に吹き出す吹出し口を開閉するとともに空気の吹き出し方向を上下に変更する上下羽根６と、空気の吹き出し方向を左右に変更する左右羽根７とが備わる。なお、吹出しグリル５は、上面５ａと下面５ｂとを有しており、左右羽根７は、下面５ｂに取り付けられる。
【００１５】
図３は、図２に示す左右羽根周辺の拡大図である。また、図４は、図３に示す矢印の方向から、つまり上方から左右羽根周辺の見た時の図である。図３、図４に示すように、吹出しグリル５の下面５ｂには、複数の左右羽根７が配置される。左右羽根７はそれぞれ、上面視が円形形状の台座７ｂの上面５ａ側に、軸を介して接続される。この台座７ｂの背面からは、ラッチ機構を有する円筒状の取り付け部材７ｃが突出している。また、下面５ｂの予め定められた位置には、台座７ｂを設置するために窪み５ｃが形成されている。各窪み５ｃは、上面視が円形形状である。
【００１６】
ここで、各窪み５ｃの深さは、台座７ｂの厚さ以上になっている。これにより、台座７ｂの上面は、下面５ｂとほぼ同一面に含まれるようになる。従って、吹出しグリル５を通過する空気の抵抗に台座７ｂがなることが無くなる。これによって、空気調和機の送風性能を効率的にすることが可能となる。具体的には、この通風抵抗が無くなることで、ファンモータへの入力が約０．４Ｗ低減させることが可能となる。
【００１７】
また、各窪み５ｃの径は、台座７ｂの径に所定のクリアランスを加算した値である。また、各窪み５ｃの中心には、上記取り付け部材７ｃの径と実質的に同じ径の貫通孔が形成される。この窪み５ｃの貫通孔には、取り付け部材７ｃが挿入され、これによって、台座７ｂが窪み５ｃに設置される。ここで、各窪み５ｃの径は各台座７ｂの径とクリアランス分だけしか違わないので、台座７ｂの上面と下面５ｂとは、通風抵抗の観点でより好ましい状態になる。これによって、空気調和機の送風性能を効率的にすることが可能となる。具体的には、この通風抵抗が無くなることで、ファンモータへの入力が約０．４Ｗ低減させることが可能となる。
【産業上の利用可能性】
【００１８】
本発明に係る空気調和機は、送風性能の効率化が可能であり、一般家庭用の空気調和機を含む様々な空気調和機として有用である。
【符号の説明】
【００１９】
１  室内機
２  前面パネル
３  熱交換器
４  クロスフローファン
５  吹出しグリル
５ａ  上面
５ｂ  下面
６  上下羽根
７  左右羽根
７ｂ  台座
７ｃ  取り付け部
【図３】
2011117642.tif 000003
【図４】
2011117642.tif 000004
【図１】
2011117642.tif 000005
【図２】
2011117642.tif 000006